(57)【要約】【課題】風船本体と別体の装飾体とを視覚的に一体感があるように連結でき、かつ、装飾体自身が動的な意匠効果を有するような装飾体付きゴム風船を提供する。【解決手段】この装飾体付きゴム風船１０は、ガス注入部２１と、外周の少なくとも１部に形成された縮径した突起部２３とを有するゴム風船２０と、突起部２３を包持して連結された装飾体３０と、ガス注入部２１を密閉して保持する受け具４０と、受け具４０が先端に取付けられるスティック５０とを備えている。装飾体３０は、シート状の本体部３１と舌片部３４とを有し、この舌片部３４が折り返されて本体部３１に接合され、突起部２３が、舌片部３４と本体部３１との間に挟まれて固定されていることが好ましい。【選択図】  図１
2004166917.tif 000002
【特許請求の範囲】
【請求項１】
ガス注入部と、外周の少なくとも１部に形成された縮径した突起部とを有するゴム風船と、
前記ゴム風船の上記突起部を包持して連結された装飾体と、
前記ゴム風船の前記ガス注入部を密閉して保持する受け具と、
前記受け具が先端に取付けられるスティックとを備えていることを特徴とする装飾体付きゴム風船。
【請求項２】
前記装飾体が、シート状の本体部と舌片部とを有し、この舌片部が折り返されて前記本体部に接合され、前記突起部が、前記舌片部と前記本体部との間に挟まれて固定されている請求項１記載の装飾体付きゴム風船。
【請求項３】
前記舌片部の折り返し部に穴又はスリットが形成され、前記突起部が前記穴又はスリットを通して、前記舌片部と前記本体部との間に挿入されている請求項２記載の装飾体付きゴム風船。
【発明の詳細な説明】
【０００１】
【発明の属する技術分野】
本発明は、例えば、遊具や宣伝広告等に使用される、装飾性、意匠性を有するゴム風船に関し、更に詳しくは、風船本体に装飾体を取付けた装飾体付きゴム風船に関する。
【０００２】
【従来の技術】
従来より、装飾性、意匠性を有するゴム風船やフィルム風船として、風船本体の表面に文字や絵柄を施すことが行なわれている。しかし、風船本体の表面のみへ視覚的効果であって充分ではない。このため、更に、装飾性や意匠性を高めるために、風船本体に、平面状あるいは立体状の装飾体を別体として取付けることが行なわれている。
【０００３】
上記の従来技術として、例えば、特許文献１には、風船を利用した宣伝広告などの媒体として、風船本体の近くに、これと別体で宣伝公告などを表示する表示体を備えた媒体が開示されており、この表示体を、風船本体の気体封入口に取付けることや、表示体を紐条に取付け、この紐条を風船本体の気体封入口に結着することが開示されている（特許文献１参照）。
【０００４】
また、特許文献２には、宣伝広告等に用いる風船人形に取付けることにより、風船人形をよりいっそう目立たせるための装飾具、及びそのような装飾具を備えた風船人形に関して、袋状本体の内部に空気を注入して形成される風船人形本体の突端部に取付ける装飾具であって、この風船人形本体の突端部の外形と略同一形状で、前記突端部の外側面に対して隙間を有して被さるように形成された密着部と、この密着部の端縁に沿って帯状に設けられ、前記突端部に被せた状態で前記突端部の外側面に隙間なく密着するように形成された係止部と、前記密着部の内側と外側とを連通又は遮断する吸気口と、装飾的形状に形成され、前記密着部及び係止部の外側に取付けられた外飾部とを有する装飾具が開示されている（特許文献２参照）。
【０００５】
【特許文献１】
特開２０００−１０５５６１号公報
【特許文献２】
特開２００２−２８７６７６号公報
【０００６】
【発明が解決しようとする課題】
しかし、上記の従来技術のうち、特開２０００−１０５５６１号公報の風船を利用した媒体においては、表示体が風船本体の気体封入口付近に取付けられている。このため、表示体が宣伝広告等である場合には一定の視覚的な効果があるものの、風船本体と表示体とが分離されているので一体感に乏しく、例えば、装飾体と風船本体とで視覚的に一体感が要求されるような組み合わせには使用できないという問題があった。
【０００７】
また、特開２００２−２８７６７６号公報の装飾体においては、風船人形本体の突端部に装飾具が設けられているので、風船人形本体に装飾具によって凹凸部を設けて視覚的な差別化を図ることができる。しかし、装飾具は風船人形本体と完全に一体化して密着するように設けられているので、装飾具自身には動的な意匠効果がなく、また、装飾具の構造が複雑で、取付け作業も煩雑であるという問題があった。
【０００８】
したがって、本発明の目的は、風船本体と別体の装飾体とを視覚的に一体感があるように連結でき、しかも、装飾体自身が風船本体と別の動的な意匠効果を奏し、更に、装飾体の構造が簡単で低コストであって取付け作業も簡便な装飾体付きゴム風船を提供することにある。
【０００９】
【課題を解決するための手段】
上記目的を達成するため、本発明の装飾体付きゴム風船は、ガス注入部と、外周の少なくとも１部に形成された縮径した突起部とを有するゴム風船と、
前記ゴム風船の上記突起部を包持して連結された装飾体と、
前記ゴム風船の前記ガス注入部を密閉して保持する受け具と、
前記受け具が先端に取付けられるスティックとを備えていることを特徴とする。
【００１０】
本発明のゴム風船によれば、突起部を包持するように装飾体が連結されているので、装飾体自身がゴム風船のゴム弾性によってフラフラと動き、装飾体がゴム風船とは別の動的な意匠効果を奏する。また、ゴム風船自身上に装飾体が乗っているような視覚的効果を得ることができ、ゴム風船と装飾体との視覚的一体感を得ることができる。
【００１１】
本発明の好ましい態様としては、前記装飾体が、シート状の本体部と舌片部とを有し、この舌片部が折り返されて前記本体部に接合され、前記突起部が、前記舌片部と前記本体部との間に挟まれて固定されている。
【００１２】
これによれば、舌片部を折り返すことによって突起部を包持できるので、シート状の本体部を、ゴム風船上に垂直に包持できる。また、ゴム風船にガスが封入されると突起部が拡張し、挟まれる舌片部と前記本体部との間で密着する。これにより包持部の安定性が増すので、ゴム風船上のシート状の装飾体が倒れてしまうことを防止することができる。
【００１３】
また、舌片部を折り返して挟み込むことによって突起部を包持できるので、シート状の装飾体の構造も簡単であり、更に、突起部の取付けも容易に行なうことができる。
【００１４】
本発明の更に好ましい態様としては、上記発明において、前記舌片部の折り返し部に穴又はスリットが形成され、前記突起部が前記穴又はスリットを通して、前記舌片部と前記本体部との間に挿入されている。
【００１５】
これによれば、突起部が、装飾体の穴又はスリットを通して舌片部と本体部との間に挿入されるので、更に包持部の安定性が増し、シート状の装飾体をゴム風船上に垂直に包持しやすく、装飾体が倒れてしまうことを有効に防止することができる。
【００１６】
【発明の実施の形態】
以下、図面に基づいて本発明の一実施形態を説明する。
【００１７】
図１は本発明の装飾体付きゴム風船の構成を示す概略図であり、図２は同ゴム風船のガス封入後における側面図であり、図３は同ゴム風船のガス封入後における斜視図である。
【００１８】
図１に示すように、この装飾体付きゴム風船１０は、ゴム風船２０と、ゴム風船２０の先端に設けられている突起部２３に包持されて連結される装飾体３０と、ゴム風船２０のガス注入部２１を密閉して保持する受け具４０と、受け具４０が先端に取付けられるスティック５０とから構成されている。
【００１９】
ゴム風船２０は、ガス注入口２１ａを有する筒状のガス注入部２１と、拡径した胴部２２と、頂部付近に形成されて縮径した突起部２３とが一体に形成されている。
【００２０】
このゴム風船２０は、ラテックスバルーンと呼ばれる公知のゴム風船であり、その材質もゴム弾性を有するものであればよく特に限定されない。例えば、イソプレンゴム等の天然ゴム、イソプレンゴム、ブタジエンゴム、ブチルゴム、エチレン−プロピレンゴム、熱可塑性エラストマー等の合成ゴムのいずれも用いることができる。
【００２１】
また、膨らませた状態でのゴム風船２０の胴部２２の形状は特に限定されず、図２のような球状でもよく、それ以外の変形形状であってもよい。胴部２２の表面には、ガスで膨らんだ際に装飾効果を生じるように、その一部又は全面に印刷等が施されていてもよい。
【００２２】
突起部２３の大きさとしては、風船を膨らませた状態での突起部２３の外径が６〜１０ｍｍ、突起の高さが３０〜６０ｍｍであることが好ましい。なお、本発明においては、突起部２３の位置は、この実施形態のようにガス風船２０の頂部には限定されず、いずれの場所に設けられていてもよい。また、突起部２３の数は１つでもよく、複数設けられていてもよい。
【００２３】
上記のゴム風船２０の突起部２３が取付けられる装飾体３０は、この実施形態においてはシート状をなしており、人形形状の本体部３１と、折り返し部３２、舌片部３４とから主に構成されている。そして、折り返し部３２には、ゴム風船２０の突起部２３を挿入するための、穴３３が形成されている。
【００２４】
装飾体３０の材質としては、紙、プラスチック、繊維、金属、又はそれらの積層体等が用いられ特に限定されないが、シート状で折り曲げ可能であり、かつ剛性があることが好ましい。また、装飾体３０の厚さも適宜選択可能であるが、前記のように折り曲げ可能であり、かつ剛性がある範囲であることが好ましい。更に、装飾体３０の大きさは、ゴム風船のサイズや装飾体の目的によって適宜設定可能であり限定されない。
【００２５】
なお、本発明においては、装飾体３０は、ゴム風船２０の突起部２３を包持して連結可能なものであれば、必ずしもシート状には限定されず、立体的な形状であってもよい。また、例えばプラスチックの成形品等であってもよい。
【００２６】
突起部２３を挿入するための穴３３は、突起部２３が通過可能な大きさであればよい。なお、本発明においては、穴３３の代わりに、折り返し部３２に切り込みを形成してもよい。
【００２７】
次に、突起部２３に装飾体３０を取付けるには、図２に示すように、突起部２３を装飾体３０の穴３３に挿入した後、折り返し部３２が底部となるように舌片部３４を折り返して、突起部２３を挟んで、舌片部３４の先端部を接合部３５で接合する。接合は、公知の接着剤や両面テープ等で行なうことができ特に限定されない。
【００２８】
このように、舌片部３３を折り返して突起部２３を挟み込むことによって、簡単な構造で突起部２３を包持でき、また、装飾体３０の取付けも容易に行なうことができる。
【００２９】
また、ゴム風船２０内にガスを注入する前に、あらかじめ装飾体３０を取付けておくことが可能であるので、現場では、ガスを注入して風船を膨らませ、スティック５０があらかじめ装着された受け具４０に絡めるだけでよい。したがって、現場での余分な作業を減らすことができる。
【００３０】
受け具４０は、スティック５０への挿入部４１と、テーパー状に広がる支持部４２とからなる成形品であり、あらかじめ挿入部４１にはスティック５０が挿入されている。そして、支持部４２の周壁にはスリットが４３が形成されている。
【００３１】
このゴム風船２０を膨らませてスティック５０に連結するには、まず、ゴム風船２０のガス注入口２１ａよりガスを注入し、ゴム風船を膨らませる。そして、その状態で、ゴム風船２０の注入部２１を受け具４０のスリット４３に挟み込み、スリット４３に絡み付けて固定する。これによって、ゴム風船２０が、受け具４０を介してスティック５０に取付けられる。
【００３２】
このように、スリット４３にゴム風船２０のガス注入部２１を嵌入して絡ませることにより、ガス注入部２１が密封されるとともに、支持部４２のテーパー部にゴム風船２０の胴部２２の下端部が支持され、図２、３に示すような装飾体付きゴム風船１０が完成する。
【００３３】
このようにして得られた装飾体付きゴム風船１０は、図２、３に示すように、装飾体３０の穴３３及び接合部３５が、ゴム風船２０の突起部２３を包持し、人形形状の本体部３１が立設して配置される。したがって、球形のゴム風船２０上に人形が乗ったような意匠効果を生じさせることができるので、ゴム風船２０と装飾体３０との視覚的一体感を得ることができる。
【００３４】
また、装飾体３０自身が、ゴム風船２０のゴム弾性によってフラフラと揺動し、装飾体３０が、ゴム風船２０とは別の動的な意匠効果を奏し、従来にない斬新な効果を得ることができる。
【００３５】
更に、ゴム風船２０の突起部２３は、ゴム風船２０にガスが封入される際に拡張し、挟まれる舌片部３４と本体部３１との間で密着するので、包持部の安定性が増し、ゴム風船２０上の装飾体３０が倒れてしまうことを防止することができる。
【００３６】
【発明の効果】
以上説明したように、本発明によれば、風船本体と別体の装飾体とを視覚的に一体感があるように連結でき、しかも、装飾体自身がゴム風船のゴム弾性によって揺動するという動的な意匠効果を有し、更に、装飾体の取付け作業が簡便である装飾体付きゴム風船を提供できることから、遊具や宣伝広告等に好適に使用できる。
【図面の簡単な説明】
【図１】本発明の装飾体付きゴム風船の一実施形態を示す構成概略図である。
【図２】同装飾体付きゴム風船のガスを封入した後の側面図である。
【図３】同装飾体付きゴム風船のガスを封入した後の斜視図である。
【符号の説明】
１０  装飾体付きゴム風船
２０  ゴム風船
２１  ガス注入部
２１ａ  ガス注入口
２２  胴部
２３  突起部
３０  装飾体
３１  本体部
３２  折り返し部
３３  穴
３４  舌片部
３５  接合部
４０  受け具
４１  挿入部
４２  支持部
４３  スリット
５０  スティック
【図１】
2004166917.tif 000003
【図２】
2004166917.tif 000004
【図３】
2004166917.tif 000005